(57)【特許請求の範囲】
【請求項１】
搬送路に挿入されて搬送路長手方向へ移送途上にある磁気カードが、磁気ヘッドとピンチローラとの間に挟まれてこれらの間を通過するときに、当該磁気カードの読み取りを行うようにした磁気カードリーダにおいて、
磁気ヘッドの収納された磁気ヘッドケースを内装している磁気ヘッドホルダが上記搬送路上に装備されていること、
上記磁気ヘッドケースにおいて対をなす第１対辺外側面部と第２対辺外側面部とのうちで、第１対辺外側面部には、上下に向けて弧状隆起する第１ケース弧状摺動面を備えた第１曲成ケースガイドが設けられているとともに、第２対辺外側面部には、上下に向けて弧状隆起する第２ケース弧状摺動面を備えた第２曲成ケースガイドが設けられていること、  上記磁気ヘッドケースに対応して上記磁気ヘッドホルダに設けられた弾圧部材が該磁気ヘッドケースを搬送路に向けて加圧していること、
上記第１対辺外側面部や第２対辺外側面部とそれぞれ向き合うところの上記磁気ヘッドホルダの両内側壁面のうちで、第１対辺外側面部と向き合う一方の内側壁面には、上記第１曲成ケースガイドと嵌め合いをなすものであって上下方向に沿う第１ホルダガイド凹溝条が形成されているとともに、第２対辺外側面部と向き合う他方の内側壁面には、上記第２曲成ケースガイドと嵌め合いなすものであって上下方向に沿う第２ホルダガイド凹溝条が形成されていること、
上記磁気ヘッドを収納した上記磁気ヘッドケースと、この磁気ヘッドケースを内装した上記磁気ヘッドホルダとの相対関係において、第１曲成ケースガイドと第１ホルダガイド凹溝条、および、第２曲成ケースガイドと第２ホルダガイド凹溝条とが互いに嵌り合っており、しかも、第１ホルダガイド凹溝条の側底面と第１曲成ケースガイドの第１ケース弧状摺動面、および、第２ホルダガイド凹溝条の側底面と第２曲成ケースガイドの第２ケース弧状摺動面とが互いに当接していて、これらの当接箇所が磁気ヘッドケースの上下運動用と回動運動用の支点になっていること、
上記磁気ヘッドを収納した上記磁気ヘッドケースが、上記の嵌り合い状態にある第１曲成ケースガイドと第１ホルダガイド凹溝条との当接箇所および第２曲成ケースガイドと第２ホルダガイド凹溝条との当接箇所を支点にして昇降自在かつ搬送路幅員方向へ首振り傾斜自在なものであり、しかも上記磁気ヘッドホルダに設けられた上記弾圧部材を介して当該磁気ヘッドケースが支持されていること
を特徴とする磁気カードリーダの磁気ヘッド支持装置。
【請求項２】
第１ケース弧状摺動面および第２ケース弧状摺動面が半円状または半楕円状に形成されている
請求項１の磁気カードリーダの磁気ヘッド支持装置。
【請求項３】
弾圧部材がコイルスプリング部を有するねじりコイルスプリングにより形成されており、
磁気ヘッドケースの第１対辺外側面部と第２対辺外側面部には、第１対辺外側面部から突出する第１ばね受用突起と第２対辺外側面部から突出する第２ばね受用突起とが設けられており、
基端部を磁気ヘッドホルダに掛け設けられた上記弾圧部材が、その先端部で上記磁気ヘッドケースの第１ばね受用突起と第２ばね受用突起とを搬送路に向けて加圧している
請求項１記載の磁気カードリーダの磁気ヘッド支持装置。
【発明の詳細な説明】
【０００１】
【発明の属する技術分野】
本発明はキャッシュカード、プリペイドカード等として用いられている磁気カードに、磁気ヘッドを摺接することで、その磁気内容を読み取ったり、要すれば書き込みをも行うことができるようにした磁気カードリーダに関し、特に当該磁気カードが熱や外部圧力により反り返ってしまったような場合にあっても、当該磁気カードが磁気ヘッドに対して密接状態を確保できるようにして、磁気カードへの書き込み、読み取りに際してのエラーを、可及的に低減し得るようにした磁気カードリーダの磁気ヘッド支持装置に係るものである。
【０００２】
【従来の技術】
図１（Ｂ）と図２を参酌して理解されるように磁気カードリーダＡでは、既知の如く矢印で示す搬送路長手方向Ｂへ挿入した磁気カードＭＣが、搬送路１内を搬送ローラ１ａ、１ｂ、１ｃにより移送され、その途上にあって当該磁気カードＭＣが磁気ヘッド２とピンチローラ３との間に挟装されて通過して行き、この際当該磁気カードＭＣにおける磁気の読み取りが行われることになる。
そして当該図示例にあっては、磁気ヘッド２に次いで、順次印字ヘッド４ａとプラテンローラ４ｂ、そして消去ヘッド５ａとプラテンローラ５ｂが、夫々配装されていることも既知の通りであり、６は搬送路幅員方向Ｗの両側端に立設した側板を示している。
【０００３】
このような従来の磁気カードリーダＡに付いて、さらに図９、図１０により説示するが、ここで図９は磁気ヘッド２近傍の部分平面図で、図１０（Ａ）は図９の左側面図、そして同図（Ｂ）は同図（Ａ）の側板を除いた右側面路略示図を示している。そして当該図示例では搬送路１の下位側に磁気ヘッド２が、そして上方にピンチローラ３が配設され、取着板７に小ビス８とか接着剤により取着された磁気ヘッド２が、側板６の内側であって大ビス９により搬送路１に露呈するよう固設されている。そして図１０（Ｂ）に開示の如くピンチローラ３は図示例の場合、その回転軸３ａが加圧用ばね１０によって下方である磁気ヘッド２側へ向けて圧接されており、搬送路長手方向Ｂに向けて搬送路１を搬送されて来た磁気カードＭＣは、当該ピンチローラ３と磁気ヘッド２との間に挟入通過して行くよう構成されている。
【０００４】
ところが、この磁気カードＭＣは、特に合成樹脂製の厚手なものであると、熱や外部圧力を受けることによって可成り反り返った彎曲状態等に変形してしまうことが知られている。
そしてこの際磁気カードＭＣが、その長手方向へ彎曲した場合には、その彎曲の曲率半径が比較的大きいことから、これを正常な平板状体に矯正するのに要する外力は、それほど大とはならないが、短寸である磁気カードＭＣの幅員方向への彎曲が生じた場合には、可成りの大きな曲率半径で彎曲しているため、このような変形磁気カードＭＣを原形であるフラットな状態に復帰させるには可成りの困難が伴うことになる。
【０００５】
この結果、図１１により理解される如く、搬送路幅員方向Ｗへ反りかえってしまった磁気カードＭＣは、ピンチローラ３によって図示の場合下方へ押圧されても、当該磁気カードＭＣの反りは原形に復することなく、ピンチローラ３は磁気カードＭＣの反りによって傾斜状態に変動し、この結果磁気カードＭＣと磁気ヘッド２とが、部分的に当接するだけで、可成りの非接触箇所２ａが発生することから、当然のことながら前説の磁気エラーが生ずることになる。
そこで、これを回避するためピンチローラ３に対して、前記した加圧用ばね１０などにより大きな圧力を付加するようにすれば、磁気ヘッド２とピンチローラ３との間に磁気カードＭＣが進入しようとする際にあって、どうしても可成りの衝撃が生ずることになり、これに伴うノイズが発生することになるだけでなく、磁気カードＭＣの搬送力を高めなければならないことから、それだけ消費電力が嵩むことになる。
【０００６】
【発明が解決しようとする課題】
本発明は従来の上記の如き磁気カードリーダにおける磁気ヘッド支持装置が有する難点を解消しようとするもので、請求項１によるときは前記した磁気カードリーダにおいて、磁気ヘッドを固設状態としてしまうのではなく、当該磁気ヘッドは磁気ヘッドケースに収め、さらにこの磁気ヘッドケースを磁気ヘッドホルダに内装するよう構成する。そして上記磁気ヘッドケースに設けた第１、第２曲成ケースガイドの第１、第２ケース弧状摺動面を、前記した磁気ヘッドホルダの第１、第２ケースガイド凹溝条に係嵌することにより、磁気ヘッドを磁気ヘッドホルダに対して上下運動を可能にすると同時に、搬送路幅員方向への首振り傾動運動も許容されるよう構成するのである。
【０００７】
しかも、この際磁気ヘッドケースは弾性部材によって搬送路へ向けて加圧可能なるよう構成することで、磁気ヘッドが搬送路へ向けて上記の加圧力を受けるようにし、かくして上説の如く磁気ヘッドの上下運動と搬送路幅員方向への首振りによる傾動をも同時に行い得るようにすることで、磁気ヘッドが幅員方向へ反りかえった磁気カードの変形に対して追随可能とし、常に両者の全面的な当接状態が確保され得るようにするのである。かくして当該請求項１では、磁気カードの変形に基づく読み込みおよび書き込みエラーの発生率を大幅に低減し得るようにすると共に、常に磁気ヘッドを前記の如く搬送路へ向け押当可能とすることで、磁気ヘッドの搬送路における進出度合を、ビスなどによって調整しなければならないといった構成の付加をも不要にしようとするのが、その目的である。
【０００８】
さらに請求項２では、上記請求項１の一実施態様を明示したものであり、前記した第１、第２曲成ケースガイドに形成された第１、第２ケース弧状摺動面を、半円状または半楕円状に特定することによって、前記した磁気ヘッドの上下運動と回動運動とを、より円滑になし得るようにし、請求項１の前記目的を達成することにつき、その信頼性を保証しようとしている。
【０００９】
そして請求項３では、請求項１における弾性部材につき、これをねじりコイルスプリングにより形成し、かつこれを磁気ヘッドホルダと、磁気ヘッドケースのばね受用突起との間にあって適切に跨設することで、磁気ヘッドを確実に搬送路側へ弾圧可能とし、これにより請求項１の前記目的達成につき、その信頼性を確保しようとしている。
【００１０】
【課題を解決するための手段】
本発明の請求項１に係る磁気カードリーダの磁気ヘッド支持装置は所期の目的を達成するために下記の課題解決手段を特徴とする。すなわち請求項１記載の課題解決手段は、
搬送路に挿入されて搬送路長手方向へ移送途上にある磁気カードが、磁気ヘッドとピンチローラとの間に挟まれてこれらの間を通過するときに、当該磁気カードの読み取りを行うようにした磁気カードリーダにおいて、
磁気ヘッドの収納された磁気ヘッドケースを内装している磁気ヘッドホルダが上記搬送路上に装備されていること、
上記磁気ヘッドケースにおいて対をなす第１対辺外側面部と第２対辺外側面部とのうちで、第１対辺外側面部には、上下に向けて弧状隆起する第１ケース弧状摺動面を備えた第１曲成ケースガイドが設けられているとともに、第２対辺外側面部には、上下に向けて弧状隆起する第２ケース弧状摺動面を備えた第２曲成ケースガイドが設けられていること、  上記磁気ヘッドケースに対応して上記磁気ヘッドホルダに設けられた弾圧部材が該磁気ヘッドケースを搬送路に向けて加圧していること、
上記第１対辺外側面部や第２対辺外側面部とそれぞれ向き合うところの上記磁気ヘッドホルダの両内側壁面のうちで、第１対辺外側面部と向き合う一方の内側壁面には、上記第１曲成ケースガイドと嵌め合いをなすものであって上下方向に沿う第１ホルダガイド凹溝条が形成されているとともに、第２対辺外側面部と向き合う他方の内側壁面には、上記第２曲成ケースガイドと嵌め合いなすものであって上下方向に沿う第２ホルダガイド凹溝条が形成されていること、
上記磁気ヘッドを収納した上記磁気ヘッドケースと、この磁気ヘッドケースを内装した上記磁気ヘッドホルダとの相対関係において、第１曲成ケースガイドと第１ホルダガイド凹溝条、および、第２曲成ケースガイドと第２ホルダガイド凹溝条とが互いに嵌り合っており、しかも、第１ホルダガイド凹溝条の側底面と第１曲成ケースガイドの第１ケース弧状摺動面、および、第２ホルダガイド凹溝条の側底面と第２曲成ケースガイドの第２ケース弧状摺動面とが互いに当接していて、これらの当接箇所が磁気ヘッドケースの上下運動用と回動運動用の支点になっていること、
上記磁気ヘッドを収納した上記磁気ヘッドケースが、上記の嵌り合い状態にある第１曲成ケースガイドと第１ホルダガイド凹溝条との当接箇所および第２曲成ケースガイドと第２ホルダガイド凹溝条との当接箇所を支点にして昇降自在かつ搬送路幅員方向へ首振り傾斜自在なものであり、しかも上記磁気ヘッドホルダに設けられた上記弾圧部材を介して当該磁気ヘッドケースが支持されていることを特徴とする。
【００１１】
本発明の請求項２に係る磁気カードリーダの磁気ヘッド支持装置は、請求項１記載のものにおいて、
第１ケース弧状摺動面および第２ケース弧状摺動面が半円状または半楕円状に形成されていることを特徴としている。
本発明の請求項３に係る磁気カードリーダの磁気ヘッド支持装置は、請求項１記載のものにおいて、
弾圧部材がコイルスプリング部を有するねじりコイルスプリングにより形成されており、
磁気ヘッドケースの第１対辺外側面部と第２対辺外側面部には、第１対辺外側面部から突出する第１ばね受用突起と第２対辺外側面部から突出する第２ばね受用突起とが設けられており、
基端部を磁気ヘッドホルダに掛け設けられた上記弾圧部材が、その先端部で上記磁気ヘッドケースの第１ばね受用突起と第２ばね受用突起とを搬送路に向けて加圧していることを特徴とする。
【００１２】
【発明の実施の形態】
本願の請求項１に係る発明につき図１ないし図８を参照して以下詳記すると、図１（Ｂ）と図２とにより既説した磁気カードリーダＡでは、差入口１ｄから挿入した磁気カードＭＣが、搬送路長手方向Ｂへ移送され、その搬送路１における搬送途上にあって、当該磁気カードＭＣが搬送路１に露設された磁気ヘッド２とピンチローラ３との間を挟装状態で通過することとなり、この際当該磁気カードＭＣにおける磁気の読み取りが行われることになる。そして図示の磁気カードリーダＡではピンチローラ３と磁気ヘッド２とが搬送路１に対して上下の配置となっているが、逆転配置としてもよい。
【００１３】
搬送路１上に露出している磁気ヘッド２は図３などで明らかなように磁気ヘッドケース１１に収納固定され、この磁気ヘッドケース１１が磁気ヘッドホルダ１２に内装されている。磁気ヘッドケース１１の第１、第２対辺外側面部１１ａ、１１ｂには、上下に向けて弧状隆起する第１、第２ケース弧状摺動面１１ｃ、１１ｄを備えた第１、第２曲成ケースガイド１１Ａ、１１Ｂが、それぞれ搬送路長手方向へ沿うように設けられている。図示例で第１、第２曲成ケースガイド１１Ａ、１１Ｂは、それぞれ２個一対あて設けられているが、その数は限定されるものでなく、搬送路長手方向Ｂへ指向して一個だけ長く設けることもできる。第１、第２ケース弧状摺動面１１ｃ、１１ｄについては、また、上下方向へ弧状を形成していればよいが、請求項２に明示のように円形の一部である半円形状とするか、楕円の一部である半楕円状に形成するのが望ましい。
【００１４】
さらに上記の磁気ヘッドホルダ１２には、図４、図６、図８に例示の如く磁気ヘッドケース１１を、搬送路１に指向させて加圧するように、弾圧部材Ｓが設けられている。
そして図示の弾圧部材Ｓとしては、請求項３により明示の如くねじりコイルスプリング１２Ａが採択されており、その基端部１２ａは磁気ヘッドホルダ１２における搬送路１の先行部側に係設されている。そして上記基端部１２ａの両側から搬送路１に沿ってコイルスプリング部１２ｂ、１２ｂを介し延出された先端部１２ｃ、１２ｃが、磁気ヘッドケース１１の前説した第１、第２対辺外側面部１１ａ、１１ｂから突設された第１、第２ばね受用突起１３ａ、１３ｂに対して弾接係止されている。このようにすることで磁気ヘッド２を搬送路１側へ弾圧するよう構成されており、かくして磁気ヘッド２は図示例の場合常に上向きに押圧されることで、ピンチローラ３に対して圧接される。
【００１５】
上記磁気ヘッドホルダ１２には、磁気ヘッドケース１１の第１、第２曲成ケースガイド１１Ａ、１１Ｂが昇降自在に嵌まり込む第１、第２ホルダガイド凹溝条１４ａ、１４ｂが切り欠き形成される。それで当該第１、第２ホルダガイド凹溝条１４ａ、１４ｂの各側底面１４ｃ、１４ｄには第１、第２曲成ケースガイド１１Ａ、１１Ｂの第１、第２ケース弧状摺動面１１ｃ、１１ｄが当接する。したがって上記磁気ヘッドケース１１とこれに収納された磁気ヘッド２とは、これらの当接箇所Ｐ１、Ｐ２を接点にして昇降自在かつ搬送路幅員方向Ｂへ首振り傾斜自在となるよう構成されているのである。
【００１６】
本発明を作用の面から説明するとつぎの通りである。磁気カードＭＣが変曲せず正常なフラット状態を保有しているとき、図５、図７で理解される通り、磁気ヘッド２は水平状態に保持され、当該磁気ヘッド２とピンチローラ３との接触部分に関しては、それらの部分が水平状態で全面接触する。これに対して図１（Ａ）のように、磁気カードＭＣがその幅員方向にあって反りかえりの変形状態にあるとき、弾性部材Ｓにより上方へ押し上げられている磁気ヘッド２は、磁気ヘッドケース１１の第１、第２曲成ケースガイド１１Ａ、１１Ｂが磁気ヘッドホルダ１２の第１、第２ホルダガイド凹溝条１４ａ、１４ｂに嵌り込んでいるため、搬送路長手方向Ｂへ変移することがない。一方で前記したように、第１、第２ホルダガイド凹溝条１４ａ、１４ｂの側底面１４ｃ、１４ｄと第１、第２曲成ケースガイド１１Ａ、１１Ｂとの接触箇所を接点として、図１（Ａ）の場合には磁気ヘッド２が左肩下がりとなるよう首振りすることで、傾斜状態となった磁気ヘッド２が、変形した磁気カードＭＣの変曲面に対して全面的に押当接触状態となることが保証される。この結果、磁気カードＭＣの変曲に基づく磁気の読み取りエラーが低減是正される。
【００１７】
前記第１、第２ばね受用突起１３ａ、１３ｂは、磁気ヘッドケース１１の第１、第２対辺外側面部１１ａ、１１ｂにおける幅方向中心にあって、その下部に突出して設けられるのが好ましい。この際は、また、図３、図７から理解できるように、第１、第２ばね受用突起１３ａ、１３ｂが昇降自在に嵌め込まれて掛かり合う第１、第２突起用凹溝条１５ａ、１５ｂの両側に第１、第２ホルダガイド凹溝条１４ａ、１４ｂが設けられ、これらに対して一対あての第１、第２曲成ケースガイド１１Ａ、１１Ｂが嵌め込まれるのがよい。
【００１８】
【発明の効果】
本発明は以上のようにして構成できるものであるから、請求項１によるときは、従来例の如く磁気ヘッドを固設してしまうのではなく、大前提として磁気ヘッドを磁気ヘッドホルダに対して、まずもって上下運動が可能となるように構成するだけでなく、これと共に搬送路幅員方向への首振りによる傾動をも同時に行い得るように構成することで、磁気ヘッドが幅員方向へ反りかえった磁気カードの変形に対しても追随可能となし、常に磁気ヘッドに対する変形磁気カードの当接状態を保証し得るようにしている。この結果請求項１によるときは、磁気カードの変形に基づく読み込みとか書き込みエラーの発生率を大幅に低減し得るようにすると共に、磁気ヘッドが搬送路へ向け弾圧されていることで、磁気ヘッドの搬送路にあっての進出度合につき、これをビスの螺回により調整しなければならないといった構成を省略することが可能となる。
【００１９】
さらに請求項２にあっては、上記請求項１において第１、第２曲成ケースガイドに形成の第１、第２ケース弧状摺動面を、半円形状または半楕円状に形成することで、磁気ヘッドの前記した上下および回動運動を円滑に行い得るようにでき、かくて請求項１による作用効果の信頼性を、より確実なものとすることができる。
そして請求項３によるときは、これまで請求項１における弾性部材をねじりコイルスプリングにより形成すると共に、その配装を適切に構成するようにしたので、これまた磁気ヘッドに対する上下方向への弾圧力を好適に付与可能としたので、前記請求項１における効果中、磁気ヘッドに対する弾圧力付与を確実なものとでき、従来の如く磁気ヘッドの位置を調整するためのビスによる調整機構等を完全に不要とすることができる。
【図面の簡単な説明】
【図１】  本願請求項１に係る磁気カードリーダの磁気ヘッド支持装置に関し、（Ａ）は磁気カード搬送中における要部縦断左側面図で、（Ｂ）は当該磁気カードリーダの下半部を示した平面説明図である。
【図２】  図１（Ｂ）に示す磁気カードリーダの要部を示す縦断正面説明図である。
【図３】  同上請求項１の磁気ヘッド支持装置における磁気ヘッドホルダを横断して、内装の磁気ヘッドケースを示した斜視説明図である。
【図４】  同上磁気ヘッド支持装置の要部を示す平面図である。
【図５】  図４の磁気ヘッド近傍部分における縦断左側面図である。
【図６】  図４の磁気ヘッド近傍部分における正面図である。
【図７】  図６のＶＩＩ−ＶＩＩ線矢視縦断側面図である。
【図８】  図６の縦断正面図である。
【図９】  従来の磁気カードリーダを示したヘッド近傍部分の平面図である。
【図１０】  図９の磁気カードリーダを示し、（Ａ）はその側面図で（Ｂ）は正面略示説明図である。
【図１１】  同上磁気カードリーダの磁気カード搬送中における要部縦断左側面図である。
【符号の説明】
１    搬送路
２    磁気ヘッド
３    ピンチローラ
１１    磁気ヘッドケース
１１Ａ  第１曲成ケースガイド
１１Ｂ  第２曲成ケースガイド
１１ａ  第１対辺外側面部
１１ｂ  第２対辺外側面部
１１ｃ  第１ケース弧状摺動面
１１ｄ  第２ケース弧状摺動面
１２    磁気ヘッドホルダ
１２Ａ  ねじりコイルスプリング
１２ａ  ねじりコイルスプリングの基端部
１２ｂ  コイルスプリング部
１２ｃ  ねじりコイルスプリングの先端部
１３ａ  第１ばね受用突起
１３ｂ  第２ばね受用突起
１４ａ  第１ホルダガイド凹溝条
１４ｂ  第２ホルダガイド凹溝条
１４ｃ  第１ホルダ凹溝条の側底面
１４ｄ  第２ホルダ凹溝条の側底面
Ａ    磁気カードリーダ
Ｂ    搬送路長手方向
ＭＣ  磁気カード
Ｓ    弾圧部材
Ｐ１  当接箇所
Ｐ２  当接箇所
Ｗ    搬送路幅員方向
【図１】
0003653052.tif 000002
【図２】
0003653052.tif 000003
【図３】
0003653052.tif 000004
【図４】
0003653052.tif 000005
【図５】
0003653052.tif 000006
【図６】
0003653052.tif 000007
【図７】
0003653052.tif 000008
【図８】
0003653052.tif 000009
【図９】
0003653052.tif 000010
【図１０】
0003653052.tif 000011
【図１１】
0003653052.tif 000012